(57)【要約】      （修正有）【課題】簡易な操作で、平板部に装着されたウレタンや布地等の掃除部材に対して、均一的且つ効果的な絞りを可能とする着脱自在な筐体を有する掃除具を提供する。【解決手段】シャフト２と、シャフトに対して移動自在の筐体３と、筐体に装着された絞り部材４ｃと、シャフトの先端にシャフトの長手方向に対する傾斜角を変更自在に装着される平板６と、平板に装着される掃除部材とを備え、筐体は、操作ボタン３ｇと、操作ボタンの操作で開閉されるもので筐体の先端からシャフトを挿入した後に筐体の末端部３ｉをシャフトに被せたときにシャフトを末端部の内部に保持する固定部を更に有している。平板のシャフトの長手方向に対する傾斜角を変更して絞り部材に当接するようにし、筐体をシャフトに対して上下に移動させることで、絞り部材の当接により掃除部材を絞ることができる。【選択図】図１
0003216428.tif 000002
【実用新案登録請求の範囲】
【請求項１】
シャフトと、
前記シャフトに対して移動自在の筐体と、
前記筐体に装着された絞り部材と、
前記シャフトの先端に前記シャフトの長手方向に対する傾斜角を変更自在に装着される平板と、
前記平板に装着される掃除部材と、を備え、
前記筐体は、操作ボタンと、前記操作ボタンの操作で開閉されるもので前記筐体の先端から前記シャフトを挿入した後に前記筐体の末端部を前記シャフトに被せたときに前記シャフトを前記末端部の内部に保持する固定部を更に有し、
前記平板の前記シャフトの長手方向に対する傾斜角を変更して前記絞り部材に当接するようにし、前記筐体を前記シャフトに対して上下に移動させることで、前記絞り部材の当接により前記掃除部材を絞る
掃除具。
【請求項２】
前記筐体は、前記平板及び掃除部材の移動を補助する補助ローラー部材を更に有する
請求項１に記載の掃除具。
【請求項３】
前記筐体には、一対の支持部が配設されており、前記絞り部材は、バー状であり、その両端が前記支持部に支持されている
請求項１又は請求項２に記載の掃除具。
【請求項４】
前記筐体は、当該筐体を前記シャフトに対して上下に移動させるときに把持する把持部を備えている
請求項１乃至請求項３のいずれか１項に記載の掃除具。
【請求項５】
前記筐体と前記絞り部材との間には隙間があり、
前記絞り部材は、前記掃除部材が前記平板部と共に当該隙間を通過する過程で、当接により前記掃除部材を絞る
請求項１乃至請求項４のいずれか１項に記載の掃除具。
【請求項６】
伸縮自在のシャフトと、
前記シャフトに対して移動自在であり、一対の支持部と操作時に把持するための把持部を有する筐体と、
前記筐体の前記支持部に両端が装着された絞り部材と、
前記シャフトの先端に前記シャフトの長手方向に対する傾斜角が変更自在に装着される平板と、
前記平板に装着される掃除部材と、を備え、
前記筐体は、操作ボタンと、前記操作ボタン操作で開閉されるもので前記筐体の先端部から前記シャフトを挿入した後に前記筐体の末端部を前記シャフトに被せたときに前記シャフトを前記末端部の内部に保持する固定部と、前記平板及び掃除部材の移動を補助する補助ローラー部材と、を更に有し、
前記把持部は前記絞り部材と連動するトリガ部を有しており、
前記筐体と前記絞り部材との間には隙間があり、
前記把持部を把持し前記トリガ部を前記把持部側に押しながら前記筐体を前記シャフトに対して上下に移動すると、前記掃除部材が前記平板部と共に前記隙間を通過し、前記絞り部材は、該通過の過程で当接により前記掃除部材を絞る
掃除具。
【請求項７】
前記掃除部材は、天然素材のクロス、ウレタン、布地、不織布のいずれかである
請求項１乃至請求項６のいずれか１項に記載の掃除具。
【考案の詳細な説明】
【技術分野】
【０００１】
本考案は、例えば、プレートにウレタン、布地、又は天然素材のクロス等を取り付けて使用される所謂フラットモップ等の掃除具に係り、特に天然素材等からなるクロスに対する絞り機能を備え、当該絞り機能を実現する筐体をシャフトに対して着脱自在とした掃除具に関する。
【背景技術】
【０００２】
従来、平板状の先端部にスポンジや布地を取り付けた掃除具が、床などの拭き掃除に用いられている。このような掃除具は、フラットモップとも称されているが、粉塵を巻上げないで埃と汚れを除去するのに好適である。そして、このようなフラットモップでは、その先端部に取り付けられたスポンジ等から水分を簡易且つ効率的に絞り出すために、種々の技術が提案されている。
【０００３】
例えば、掃除部材が洗浄された後、使用者は絞り機能付きフラットモップを持ち、片方の手でスリーブを握持し、もう片方の手でモップロッドを回転することで、回転部材の連動を利用して掃除部材の中央部に回転を発生させ、掃除部材の中央部が徐々にねじれ、掃除部材の両端に引張力が発生することによって、二つのサイドプレートの外端は掃除部材の両外端が互いに併せるまで掃除部材に向かって付勢し、且つモップロッドを継続的に回転することで、掃除部材を絞る絞り機能付きフラットモップが提案されている（例えば特許文献１等参照）。
【先行技術文献】
【特許文献】
【０００４】
【特許文献１】実用新案登録第３２０５０６２号公報
【考案の概要】
【考案が解決しようとする課題】
【０００５】
しかしながら、特許文献１に開示されたものは、所謂ねじれの作用により掃除部材を絞るものであることから、掃除部材全体に対する絞り度合いの均一性に欠けていた。さらに継続的な回転動作を伴うことから、絞り動作も煩雑なものであった。
【０００６】
さらに、絞り機能を実現する部材をシャフトに対して着脱自在とすることに主眼が置かれた技術は従来存在しない。
【０００７】
本考案は、このような課題に鑑みてなされたものであり、その目的とするところは、簡易な操作で、平板部に装着された天然素材等からなる掃除部材に対する均一的且つ効果的な絞りを実現する機能を有し、当該機能を奏する部材をシャフトに対して着脱自在とすることにある。
【課題を解決するための手段】
【０００８】
上記課題を解決するため、本考案の第１の態様に係る掃除具は、シャフトと、前記シャフトに対して移動自在の筐体と、前記筐体に装着された絞り部材と、前記シャフトの先端に前記シャフトの長手方向に対する傾斜角を変更自在に装着される平板と、前記平板に装着される掃除部材と、を備え、前記筐体は、操作ボタンと、前記操作ボタンの操作で開閉されるもので前記筐体の先端から前記シャフトを挿入した後に前記筐体の末端部を前記シャフトに被せたときに前記シャフトを前記末端部の内部に保持する固定部を更に有し、前記平板の前記シャフトの長手方向に対する傾斜角を変更して前記絞り部材に当接するようにし、前記筐体を前記シャフトに対して上下に移動させることで、前記絞り部材の当接により前記掃除部材を絞る。
【０００９】
本発明の第２の態様に係る掃除具は、第１の態様において、前記筐体は、前記平板及び掃除部材の移動を補助する補助ローラー部材を更に有する。
【００１０】
本発明の第３の態様に係る掃除具は、第１又は第２の態様において、前記筐体には、一対の支持部が配設されており、前記絞り部材は、バー状であり、その両端が前記支持部に支持されている。
【００１１】
本発明の第４の態様に係る掃除具は、第１乃至第３の態様において、前記筐体は、当該筐体を前記シャフトに対して上下に移動させるときに把持する把持部を備えている。
【００１２】
本発明の第５の態様に係る掃除具は、第１乃至第４の態様において、前記筐体と前記絞り部材との間には隙間があり、前記絞り部材は、前記掃除部材が前記平板部と共に当該隙間を通過する過程で、当接により前記掃除部材を絞る。
【００１３】
本発明の第６の態様に係る掃除具は、伸縮自在のシャフトと、前記シャフトに対して移動自在であり、一対の支持部と操作時に把持するための把持部を有する筐体と、前記筐体の前記支持部に両端が装着された絞り部材と、前記シャフトの先端に前記シャフトの長手方向に対する傾斜角が変更自在に装着される平板と、前記平板に装着される掃除部材とを備え、前記筐体は、操作ボタンと、前記操作ボタン操作で開閉されるもので前記筐体の先端部から前記シャフトを挿入した後に前記筐体の末端部を前記シャフトに被せたときに前記シャフトを前記末端部の内部に保持する固定部と、前記平板及び掃除部材の移動を補助する補助ローラー部材と、を更に有し、前記把持部は前記絞り部材と連動するトリガ部を有しており、前記筐体と前記絞り部材との間には隙間があり、前記把持部を把持し前記トリガ部を前記把持部側に押しながら前記筐体を前記シャフトに対して上下に移動すると、前記掃除部材が前記平板部と共に前記隙間を通過し、前記絞り部材は、該通過の過程で当接により前記掃除部材を絞る。
【００１４】
本発明の第７の態様に係る掃除具は、第１乃至第６の態様において、前記掃除部材は、天然素材のクロス、ウレタン、布地、不織布のいずれかである。
【考案の効果】
【００１５】
本考案によれば、簡易な操作で、平板部に装着された天然素材等からなる掃除部材に対する均一的且つ効果的な絞りを可能とする機能を有し、当該機能を奏する部材をシャフトに対して着脱自在とした掃除具を提供することができる。
【図面の簡単な説明】
【００１６】
【図１】本考案の一実施形態に係る掃除具の構成図である。
【図２】本考案の一実施形態に係る掃除具の構成図である。
【図３】同掃除具の筐体の構成を詳細に示す図である。
【図４】同筐体の内部構造を示す図である。
【図５】同筐体のシャフトへの装着の様子を示す図である。
【図６】同筐体による掃除部材の絞り込みの様子を示す図である。
【図７】同掃除具の平板部への掃除部材の取付けの様子を示す図である。
【考案を実施するための形態】
【００１７】
以下、図面を参照しつつ本考案の一実施形態について説明する。
【００１８】
図１、図２には、本考案の一実施形態に係る掃除具の構成を示し、説明する。より詳細には、図１は掃除時の様子を示す斜視図であり、図２は未使用時の様子を示す図である。
【００１９】
本実施形態に係る掃除具１は、乾拭きで埃や塵などの床面の汚れを拭き取ることが可能で、水拭きにより床面を綺麗に拭き仕上げる１台２役の機能を備える。従って、植物性の食用油やマヨネーズの汚れも拭いた後に後述する掃除部材を水で流すだけで綺麗にすることができ、手を汚すことなく掃除部材の水を切ることができる。また、後述するように自立型なので、倒れず、場所をとることなく置くことができる。
【００２０】
さらに、掃除部材は、汚れをしっかり取ることができるもので、掃除部材自体も水洗いだけで汚れが落ちる素材により構成されている。尚、床面だけでなく、窓や網戸、壁や風呂場等の平面な箇所であればどこでもきれに掃除することができる。さらに、後述するように、掃除部材を構成する天然素材の毛足が長い場合には、床の溝や網戸の網目の汚れも落とせる。本掃除具１に使用される掃除部材としてのクロスは、布だけで濡れて（クロスの表面だけ）絞りやすいのが特徴である。
【００２１】
図１及び図２に示されるように、掃除具１は、伸縮自在のシャフト２を備えている。シャフト２は、第１シャフト部２ａと第２シャフト部２ｃとが、長さ調整部２ｂにより位置固定されるよう構成されており、長さ調整部２ｂを開けた状態で第２シャフト部２ｃの内空に一部が挿入された第１シャフト部２ａを引き出し、所望の長さのところで長さ調整部２ｂを閉じることで長さ調節することが可能となっている。
【００２２】
シャフト２の先端は、シャフト装着部２ｄに挿入されて、両者が位置固定される。このシャフト装着部２ｄは、回転部５を介して平板部６に装着されており、多数のスリットを周面に備えた略円筒状となっている。回転部５の作用により、平板部６は、シャフト２に対する傾斜角を変更できるようになっている。より詳細には、平板部６は、シャフト２の絞り部材４ｃが配設されている側に９０度から１８０度、シャフト２の絞り部材４ｃが配設されていない側に９０度から１５０度の範囲で、当該シャフト２の長さ方向に対する傾斜角を変更できるようになっている。但し、これは一例であって、これには限定されないことは勿論である。そして、平板部６の回転部５の配設面とは反対の面には、掃除部材７が装着されるようになっている。
【００２３】
シャフト２には、当該シャフト２に一部が挿通し、当該シャフト２に対して移動自在となるように筐体３が設けられている。筐体３は、ドーム型の筐体本体部３ｂと当該筐体本体部３ｂから連続して設けられ当該筐体３をシャフト２に対して上下に移動させるときに操作者が把持する把持部３ａとを有している。この把持部３ａには、絞り部材４ｃと連動するトリガ部３ｃが設けられている。
【００２４】
ここで、図３（ａ）に示されるように、筐体３の末端部３ｉは、シャフト２を包み込むような円弧状の内周面を有しており、当該内周面には、ボタン３ｇの押下に連動して突出状態から収納状態に状態が変化する固定部３ｈが設けられている。つまり、２つのボタン３ｇを押下すると、内周面の固定部３ｈは収納状態となり、その状態でシャフト２を内在させて、ボタン３ｇの押下を解除すると、固定部３ｈが突出して、シャフト２が筐体２の末端部３ｉの内部に収納されるようしている。この収納状態においても、筐体３のシャフト２の軸方向の移動は自在であることは勿論である。
【００２５】
図３（ｂ）に示されるように、筐体３の略ドーム型の筐体本体部３ｂの両端には、一対の支持部４ａ，４ｂが設けられており、絞り部材４ｃは、当該支持部４ａ，４ｂにより支持されている。具体的には、絞り部材４ｃは、この例では、バー状（例えば長尺の円筒状）の形状を呈しており、その両端が支持部材４ａ，４ｂにより支持されている。このような位置関係では、筐体本体部３と絞り部材４ｃとの間に隙間が生まれ、掃除部材７は、平板部６と共に当該隙間を移動する過程で絞り部材４ｃの付勢力により絞られる。
【００２６】
すなわち、把持部３ａを把持してトリガ部３ｃを把持部３ａの方に押しながら下方向に移動させることで、絞り部材４ｃが掃除部材７に当接し移動し、掃除部材７を絞ることになる。このとき、筐体本体部３ｂの内面には、２箇所の補助ローラー部材３ｊが配設されているので、掃除部材７が装着された平板部６の移動は円滑である。更に、補助ローラー部材３ｊは、絞り込み時に水分の摩擦力を低減する役割も担っている。
【００２７】
図４には、筐体３の内部構造を詳細に示し説明する。
【００２８】
図４に示されるように、筐体３の把持部３ａには、トリガ部３ｃが設けられており、トリガ部３ｃの先端３ｄは、軸部３ｆに当接している。この軸部３ｆはレール部材３ｅの中を上下に移動自在となっており、トリガ部３ｃを把持部３ａの方向、つまり図４中右方向に押すと、先端３ｄが軸部３ｆを押し上げる。この軸部３ｆは絞り部材４ｃと連動しているので、軸部３ｆがレール部材３ｅに沿って上方向に押し上げられると、絞り部材４ｃもそれに連動して上方向に押し上げられる。このようなトリガ部３ｃの操作により、絞り部材４ｃと隙間を通過する掃除部材７との当接具合、つまり絞り部材４ｃによる押圧力を調整することで、適切に水分を絞ることができる。
【００２９】
筐体３の内部には、更にロック機構３ｋが設けられている。このロック機構３ｋは、シャフト２の先端と平板部６をロックし、絞り込むときに平板部６を固定し、絞り込み時の平板部６のぐらつきを防止する役割を担っている。
【００３０】
図５には、シャフト２への筐体部３の取付けの様子を示し説明する。
【００３１】
図５（ａ）に示されるように、シャフト２のグリップ部側から筐体部３を挿入し、図５（ｂ）に示されるようにシャフト２の中程まで移動させた後、２つのボタン３ｇを押下する。そして、その押下した状態のまま、筐体部３の末端部３ｉをシャフト２側に押し当てて、ボタン３ｇの押下を解除することで、シャフト２に対する装着が完了する。前述したように、２つのボタン３ｇを押下すると、内周面の固定部３ｈは収納状態となり、その状態でシャフト２を内在させて、ボタン３ｇの押下を解除すると、固定部３ｈが突出し、シャフト２が筐体２の末端部３ｉの内部に収納される。この収納状態下でも、筐体３のシャフト２の軸方向の移動は自在であることは勿論である。
【００３２】
以上のような構成において、図６（ａ）に示されるように、平板部６及び掃除部材７の向きを長手方向がシャフト２の長手方向と平行となるように回転部５の回転により回転させて位置設定し、掃除部材７に水を当て、全面を濡らした後、図６（ｂ）、図６（ｃ）、図６（ｄ）に示されるように、筐体３を、把持部３ａを把持してトリガ部３ｃを把持部３ａの方に押しながら下方向に移動させることで、絞り部材４ｃが掃除部材７に当接しつつ移動し、掃除部材７を絞ることになる。スライドを２，３回続けると、掃除部材７の水を好適に絞ることができる。尚、絞り部材４ｃを支持部４ａ，４ｂに対して回転可能なローラー部材としてもよいことは勿論である。
【００３３】
最後に、図４には、掃除具１の平板部６への掃除部材７の取付けを示し説明する。
【００３４】
同図に示されるように、平板部６には、面ファスナー等の装着部６ｃと係止部６ｂとが配設されており、図７（ａ）に示される状態から、掃除部材７を面ファスナー等の装着部６ｃに装着し、その両端を係止部６ｂに係止させることで、図７（ｂ）に示されるように装着される。平板部６の底面には、凹部６ｄが設けられているので、掃除部材７に与える力を分散し、全面に力が均等に付与されるように設計されている。
【００３５】
掃除部材７は、レーヨン（天然パルプ）等のクロス素材、ウレタン、布地、不織布等といった種々のものを採用することが可能である。この例では、毛足の長いレーヨン（天然パルプ）からなるクロス素材を採用している。
【００３６】
なお、拭き掃除のみを行うときには、筐体３を取り外せば、より軽量化され、効率的に掃除を行うことができることは勿論である。掃除具１を使用しないときには、図２に示したような状態で床面に立てることが可能である。
【００３７】
以上説明したように、本考案の一実施形態によれば、シャフト２と、シャフトに対して移動自在の筐体３と、筐体に装着された絞り部材４ｃと、シャフトの先端にシャフトの長手方向に対する傾斜角を変更自在に装着される平板６と、平板に装着される掃除部材７とを備え、筐体３は、操作ボタン３ｇと、操作ボタンの操作で開閉されるもので筐体の先端からシャフトを挿入した後に筐体の末端部３ｉをシャフトに被せたときにシャフトを末端部の内部に保持する固定部３ｈを更に有し、平板のシャフトの長手方向に対する傾斜角を変更して絞り部材に当接するようにし、筐体を前記シャフトに対して上下に移動させることで、絞り部材の当接により掃除部材を絞る掃除具１が提供される。ここで、筐体は、平板及び掃除部材の移動を補助する補助ローラー部材３ｊを更に有している。
【００３８】
さらに、本考案の一実施形態によれば、伸縮自在のシャフト２と、シャフトに対して移動自在であり、一対の支持部４ａ，４ｂと操作時に把持するための把持部３ａを有する筐体３と、筐体の支持部に両端が装着された絞り部材４ｃと、シャフトの先端にシャフトの長手方向に対する傾斜角が変更自在に装着される平板６と、平板に装着される掃除部材７とを備え、筐体は、操作ボタン３ｇと、操作ボタン操作で開閉されるもので筐体の先端部からシャフトを挿入した後に筐体の末端部３ｉをシャフトに被せたときにシャフトを末端部の内部に保持する固定部３ｈと、平板及び掃除部材の移動を補助する補助ローラー部材３ｊと、を更に有し、把持部３ａは絞り部材と連動するトリガ部３ｃを有しており、筐体と絞り部材との間には隙間があり、把持部を把持しトリガ部を把持部側に押しながら筐体を前記シャフトに対して上下に移動すると、掃除部材が平板部と共に隙間を通過し、絞り部材は、該通過の過程で当接により掃除部材を絞る掃除具１が提供される。
【００３９】
従って、筐体をシャフトに対して上下に移動させるという簡易な操作により、絞り部材が掃除部材の表面に均一に当接しつつ移動するので、絞り部材の付勢力により簡易且つ効果的に掃除部材を絞り、水分を除去することが可能となる。更に、筐体はシャフトに対して着脱自在であることから、一般的なモップとして活用するときは、シャフトから筐体を外し、掃除部材を絞り込むときにシャフトに筐体を装着するような活用も可能である。そして、上記絞り作業の過程では、補助ローラーにより掃除部材の水分の摩擦等の影響を低減できるので、円滑な絞り込みが実現される。
【００４０】
以上、本考案の一実施形態について説明したが、本考案はこれに限定されることなくその趣旨を逸脱しない範囲で種々の改良・変更が可能であることは勿論である。
【００４１】
例えば、平板部に装着される掃除部材は、前述したウレタン、布地、レーヨン（天然パルプ）などのクロス素材に限定されるものではなく、不織布等を装着するようにしてもよく、装着方法も前述した手法に限定されるものではない。
【符号の説明】
【００４２】
１…掃除具、２…シャフト部、２ａ…第１シャフト部、２ｂ…長さ調節部、２ｃ…第２シャフト部、２ｄ…シャフト装着部、３…筐体、３ａ…把持部、３ｂ…筐体本体部、３ｃ…トリガ部、３ｄ…先端、３ｅ…レール部材、３ｆ…軸部、３ｇ…操作ボタン、３ｈ…固定部、３ｉ…末端部、３ｊ…補助ローラー部材、３ｋ…ロック機構、４…絞り機構、４ａ…支持部、４ｂ…支持部、４ｃ…絞り部材、５…回転部、６…平板部、６ａ…装着部、６ｂ…係止部、６ｃ…装着部、６ｄ…凹部、７…掃除部材。
【図１】
0003216428.tif 000003
【図２】
0003216428.tif 000004
【図３】
0003216428.tif 000005
【図４】
0003216428.tif 000006
【図５】
0003216428.tif 000007
【図６】
0003216428.tif 000008
【図７】
0003216428.tif 000009